(57)【要約】【課題】コストを上昇させることなく、保守管理に利用する動作回数を表示可能とした操作スイッチを備えた電動ブラインドの制御装置を提供する。【解決手段】操作スイッチの操作に基づいて、モータを動作させて電動ブラインドのスラットを昇降及び角度調節するとともに、電動ブラインドのモータの動作回数をカウントして保持するカウント手段を備えた制御部と、操作スイッチに設けられ、スラットの昇降高さと回動角度を表示する表示装置とを備えた電動ブラインドの制御装置において、操作スイッチ１ａには、動作回数表示モードでモータの動作回数をカウント手段から読み出して表示装置２，３で表示する動作回数表示手段１３を備えた。【選択図】図２
2009138488.tif 000002
【特許請求の範囲】
【請求項１】
操作スイッチと、
前記操作スイッチの操作に基づいて、モータを動作させて電動ブラインドのスラットを昇降及び角度調節するとともに、前記電動ブラインドのモータの動作回数をカウントして保持するカウント手段を備えた制御部と、
前記操作スイッチに設けられ、スラットの昇降高さと回動角度を表示する表示装置と
を備えた電動ブラインドの制御装置において、
前記操作スイッチには、動作回数表示モードで前記モータの動作回数を前記カウント手段から読み出して前記表示装置で表示する動作回数表示手段を備えたことを特徴とする電動ブラインドの制御装置。
【請求項２】
前記表示装置は、通常モード時に、スラットの昇降高さを表示する昇降ＬＥＤと、スラットの角度を表示するチルトＬＥＤで構成し、前記昇降ＬＥＤとチルトＬＥＤはそれぞれ複数段のＬＥＤ素子を列状に配設して構成したことを特徴とする請求項１記載の電動ブラインドの制御装置。
【請求項３】
前記操作スイッチには、前記通常モードと動作回数表示モードとを切り替える切り替え手段を設け、前記動作回数表示手段は、動作回数表示モード時に、前記昇降ＬＥＤで電動ブラインドのアドレスを表示し、前記チルトＬＥＤで当該アドレスの電動ブラインドのモータの動作回数を表示することを特徴とする請求項２記載の電動ブラインドの制御装置。
【請求項４】
前記動作回数表示手段は、前記昇降ＬＥＤの１段目から９段目の点灯動作を選択してアドレスの１の位を表示するとともに１１段目以降の点灯動作を選択して１０の位を表示し、前記チルトＬＥＤの各段の点灯動作を選択して動作回数を一定数刻みで表示することを特徴とする請求項３記載の電動ブラインドの制御装置。
【請求項５】
前記動作回数表示手段は、前記昇降ＬＥＤの１段目から１０段目の点灯動作を選択してアドレスの１の位を表示するとともに１段目から１０段目の点滅動作を選択してアドレスの１０の位を表示し、かつ昇降ＬＥＤの１１段目以降の点灯動作を選択してアドレスの１００の位を表示し、前記チルトＬＥＤの１段目から１０段目の点灯動作を選択して０回から９００回までの動作回数を１００回刻みで表示するとともに２段目から１０段目の点滅動作を選択して１０００回から９０００回までの動作回数を１０００回刻みで表示し、前記チルトＬＥＤの１１段目以降の点灯動作を選択して動作回数を１００００回刻みで表示することを特徴とする請求項３記載の電動ブラインドの制御装置。
【請求項６】
前記動作回数表示手段は、前記動作回数表示モードの設定に基づいて、表示ＬＥＤを点滅させて動作回数表示モードを表示することを特徴とする請求項３乃至５のいずれか１項に記載の電動ブラインドの制御装置。
【請求項７】
前記動作回数表示手段は、前記動作回数表示モードで規定の動作回数を超えた電動ブラインドのアドレスを前記昇降ＬＥＤ及びチルトＬＥＤで表示することを特徴とする請求項２記載の電動ブラインドの制御装置。
【請求項８】
前記動作回数表示手段は、複数の電動ブラインドのカウント手段から一定時間毎に各電動ブラインドの動作回数を読み出してあらかじめ設定された規定の動作回数と比較し、規定の動作回数を超えた電動ブラインドのアドレスを前記昇降ＬＥＤ及びチルトＬＥＤで表示することを特徴とする請求項７記載の電動ブラインドの制御装置。
【請求項９】
前記動作回数表示手段は、前記チルトＬＥＤの１段目から９段目の点灯動作を選択してアドレスの１の位を表示し、前記昇降ＬＥＤの１段目から９段目の点灯動作を選択してアドレスの１０の位を表示し、かつ昇降ＬＥＤの１１段目以降の点灯動作を選択してアドレスの１００の位を表示することを特徴とする請求項７又は８記載の電動ブラインドの制御装置。
【請求項１０】
前記動作回数表示手段は、前記チルトＬＥＤ及び前記昇降ＬＥＤの最上段を点滅させて、表示するアドレスが存在しないことを表示することを特徴とする請求項９記載の電動ブラインドの制御装置。
【発明の詳細な説明】
【技術分野】
【０００１】
この発明は、モータの動作回数をカウントする機能を備えた電動ブラインドの制御装置に関するものである。
【背景技術】
【０００２】
電動横型ブラインドは、ヘッドボックス内に配設されたモータを作動させてスラットの昇降操作あるいは角度調節操作を行なう。また、窓面に沿って多数の電動横型ブラインドが設置されるブラインドシステムでは、特定のエリア内の複数のブラインドや単独のブラインドをゾーンスイッチで操作したり、あるいはすべてのブラインドの動作をパソコン等の中央処理システムで制御することが行われている。
【０００３】
このようなブラインドシステムでは、各電動横型ブラインドの保守管理を行なうために、モータの作動回数をカウントし、その作動回数に基づいて消耗部品の点検あるいは交換作業等が行なわれている。
【０００４】
特許文献１には、操作スイッチに開閉動作回数を表示するカウント表示面を備え、表示された回数を保守管理に利用可能としたシャッターの遠隔操作装置が開示されている。
特許文献２には、表示操作スイッチの表示部に、送信器から出力された信号の出力回数を表示する表示部を備え、その出力回数を保守管理に利用可能とした電動シャッターの送信機が開示されている。
【特許文献１】特開２００３−３０１６７８号公報
【特許文献２】特許３２９５７７３号公報
【発明の開示】
【発明が解決しようとする課題】
【０００５】
特許文献１に記載された操作スイッチでは、開閉動作回数を表示するための専用のカウント表示面を備えているので、操作スイッチのコストが上昇するという問題点がある。
特許文献２に記載された表示操作スイッチにおいても、送信器から出力された信号の出力回数を表示するための専用の表示部を備えているので、表示操作スイッチのコストが上昇するという問題点がある。
【０００６】
この発明の目的は、コストを上昇させることなく、保守管理に利用する動作回数を表示可能とした操作スイッチを備えた電動ブラインドの制御装置を提供することにある。
【課題を解決するための手段】
【０００７】
請求項１では、操作スイッチと、前記操作スイッチの操作に基づいて、モータを動作させて電動ブラインドのスラットを昇降及び角度調節するとともに、前記電動ブラインドのモータの動作回数をカウントして保持するカウント手段を備えた制御部と、前記操作スイッチに設けられ、スラットの昇降高さと回動角度を表示する表示装置とを備えた電動ブラインドの制御装置において、前記操作スイッチには、動作回数表示モードで前記モータの動作回数を前記カウント手段から読み出して前記表示装置で表示する動作回数表示手段を備えた。
【０００８】
請求項２では、前記表示装置は、通常モード時に、スラットの昇降高さを表示する昇降ＬＥＤと、スラットの角度を表示するチルトＬＥＤで構成し、前記昇降ＬＥＤとチルトＬＥＤはそれぞれ複数段のＬＥＤ素子を列状に配設して構成した。
【０００９】
請求項３では、前記操作スイッチには、前記通常モードと動作回数表示モードとを切り替える切り替え手段を設け、前記動作回数表示手段は、動作回数表示モード時に、前記昇降ＬＥＤで電動ブラインドのアドレスを表示し、前記チルトＬＥＤで当該アドレスの電動ブラインドのモータの動作回数を表示する。
【００１０】
請求項４では、前記動作回数表示手段は、前記昇降ＬＥＤの１段目から９段目の点灯動作を選択してアドレスの１の位を表示するとともに１１段目以降の点灯動作を選択して１０の位を表示し、前記チルトＬＥＤの各段の点灯動作を選択して動作回数を一定数刻みで表示する。
【００１１】
請求項５では、前記動作回数表示手段は、前記昇降ＬＥＤの１段目から１０段目の点灯動作を選択してアドレスの１の位を表示するとともに１段目から１０段目の点滅動作を選択してアドレスの１０の位を表示し、かつ昇降ＬＥＤの１１段目以降の点灯動作を選択してアドレスの１００の位を表示し、前記チルトＬＥＤの１段目から１０段目の点灯動作を選択して０回から９００回までの動作回数を１００回刻みで表示するとともに２段目から１０段目の点滅動作を選択して１０００回から９０００回までの動作回数を１０００回刻みで表示し、前記チルトＬＥＤの１１段目以降の点灯動作を選択して動作回数を１００００回刻みで表示する。
【００１２】
請求項６では、前記動作回数表示手段は、前記動作回数表示モードの設定に基づいて、表示ＬＥＤを点滅させて動作回数表示モードを表示する。
請求項７では、前記動作回数表示手段は、前記動作回数表示モードで規定の動作回数を超えた電動ブラインドのアドレスを前記昇降ＬＥＤ及びチルトＬＥＤで表示する。
【００１３】
請求項８では、前記動作回数表示手段は、複数の電動ブラインドのカウント手段から一定時間毎に各電動ブラインドの動作回数を読み出してあらかじめ設定された規定の動作回数と比較し、規定の動作回数を超えた電動ブラインドのアドレスを前記昇降ＬＥＤ及びチルトＬＥＤで表示する。
【００１４】
請求項９では、前記動作回数表示手段は、前記チルトＬＥＤの１段目から９段目の点灯動作を選択してアドレスの１の位を表示し、前記昇降ＬＥＤの１段目から９段目の点灯動作を選択してアドレスの１０の位を表示し、かつ昇降ＬＥＤの１１段目以降の点灯動作を選択してアドレスの１００の位を表示する。
【００１５】
請求項１０では、前記動作回数表示手段は、前記チルトＬＥＤ及び前記昇降ＬＥＤの最上段を点滅させて、表示するアドレスが存在しないことを表示する。
【発明の効果】
【００１６】
本発明によれば、コストを上昇させることなく、保守管理に利用する動作回数を表示可能とした操作スイッチを備えた電動ブラインドの制御装置を提供することができる。
【発明を実施するための最良の形態】
【００１７】
（第一の実施の形態）
以下、この発明を具体化した第一の実施の形態を図面に従って説明する。図１は電動横型ブラインドのゾーンスイッチ（操作スイッチ）１ａの操作面を示す。ゾーンスイッチ１ａは、壁面等に設置され、あらかじめ設定された複数の電動横型ブラインド、あるいは単独の電動横型ブラインドを操作可能である。
【００１８】
操作面の中央部には縦方向に２列のＬＥＤ素子（発光ダイオード）が配設されている。左列のＬＥＤはスラットの昇降高さを表示する昇降ＬＥＤ２であり、右列のＬＥＤはスラットの回動角度を表示するチルトＬＥＤ３である（表示装置）。そして、昇降ＬＥＤ２及びチルトＬＥＤ３は、ともに１５個のＬＥＤが上下に並べられて、スラットの昇降高さ及び角度を１５段階で表示可能となっている。なお、昇降ＬＥＤ２及びチルトＬＥＤ３は、最上段と最下段及び中間段のＬＥＤに、表示面積の大きいＬＥＤが使用され、表示段数を容易に視認可能となっている。
【００１９】
前記昇降ＬＥＤ２の上方には、スラットの引き上げ操作を行うためのＵＰボタン４が配設され、前記昇降ＬＥＤ２の下方には、スラットの下降操作を行うためのＤＯＷＮボタン５が配設されている。
【００２０】
前記チルトＬＥＤ３の上方には、スラットを引き上げながら回動させるＵＰチルトボタン６が配設され、前記チルトＬＥＤ３の下方には、スラットを下降させながら回動させるＤＯＷＮチルトボタン７が配設されている。そして、ＵＰチルトボタン６の操作により、スラットはその凸面が室内側となるように回動され、ＤＯＷＮチルトボタン７の操作により、スラットはその凸面が室外側となるように回動される。
【００２１】
前記チルトＬＥＤ３の側方には、スラットの昇降動作あるいは回動動作を停止させるＳＴＯＰボタン８が配設されている。また、ＳＴＯＰボタン８の下方には、リモコンスイッチからの送信信号を受信する受光部９が配設されている。
【００２２】
図２は、前記ゾーンスイッチ１ａの電気的構成を示す。前記ＵＰボタン４、ＤＯＷＮボタン５、ＵＰチルトボタン６、ＤＯＷＮチルトボタン７、ＳＴＯＰボタン８の操作信号はマイコン１３に入力される。
【００２３】
また、前記マイコン１３には第一及び第二のディップスイッチ１４，１５が接続されている。第一及び第二のディップスイッチ１４，１５は、このゾーンスイッチ１ａでローカル制御を行うときの各電動横型ブラインドのアドレス範囲を設定するものであり、第一のディップスイッチ１４で最小アドレスが設定され、第二のディップスイッチ１５で最大アドレスが設定されるようになっている。
【００２４】
前記マイコン１３にはＬＥＤドライバ１６が接続され、ＬＥＤドライバ１６はマイコン１３から出力される制御信号に基づいて前記昇降ＬＥＤ２、チルトＬＥＤ３を駆動するようになっている。
【００２５】
また、前記マイコン１３には通信送信部１７、通信受信部１８及び記憶素子１９が接続される。そして、マイコン１３は通信送信部１７及び通信受信部１８を介して電動横型ブラインドのヘッドボックス内に配設される制御部との間で制御信号の送受信を行なう。記憶素子１９には、マイコン１３の動作時に所要のデータが格納される。
【００２６】
このよう構成されたゾーンスイッチ１ａのマイコン１３は、各ボタンの操作に基づく操作信号と、第一及び第二のディップスイッチ１４，１５に設定されたアドレス及び電動横型ブラインドの制御部との送受信信号と、あらかじめ設定されているプログラムとに基づいて動作する。また、マイコン１３は、各ボタンの押圧に基づいて起動するタイマー機能を備えている。
【００２７】
マイコン１３は各ボタンの操作に基づく通常モードと、ＳＴＯＰボタン（切り替え手段）８の長押しに続く動作回数表示モードとのいずれかで動作する。そして、動作回数表示モードでは昇降ＬＥＤ２でブラインドのアドレスすなわち製品番号を表示し、チルトＬＥＤ３でモータの昇降動作回数を表示するようになっている（動作回数表示手段）。
【００２８】
具体的には、図４に示すように、昇降ＬＥＤ２の最下段である１段目から最上段の１５段目までのＬＥＤの点灯状態を選択することにより、１番から５９番までのアドレスを表示する。また、チルトＬＥＤ３の最下段である１段目から最上段の１５段目までのＬＥＤの点灯状態を選択することにより、５００回以下から７０００回超までの動作回数を表示する。
【００２９】
図５（ａ）に示すように、例えば昇降ＬＥＤ２の２段目まで点灯され、チルトＬＥＤ３の５段目まで点灯されると、アドレス２番のブラインドの動作回数が２５００回以下であることが表示される。
【００３０】
また、図５（ｂ）に示すように、昇降ＬＥＤ２の１０段目が点灯され、チルトＬＥＤ３の６段目までのＬＥＤが点灯されると、アドレス１０番のブラインドの動作回数が３０００回以下であることが表示される。
【００３１】
また、図５（ｃ）に示すように、昇降ＬＥＤ２の９段目までと、１１段目から１３段目までが点灯され、チルトＬＥＤ３の８段目までのＬＥＤが点灯されると、アドレス３９番のブラインドの動作回数が４０００回以下であることが表示される。
【００３２】
また、図５（ｄ）に示すように、昇降ＬＥＤ２の９段目までと、１１段目から１５段目までが点灯され、チルトＬＥＤ３の１５段目までのＬＥＤが点灯されると、アドレス５９番のブラインドの動作回数が７０００回超であることが表示される。
【００３３】
図３は、電動横型ブラインドのヘッドボックス内に配設される制御部の電気的構成を示す。モータ駆動用トランス２０及び制御用トランス２１は商用電源を所定の電圧に降圧し、その降圧電圧を整流回路２２，２３にそれぞれ供給する。
【００３４】
整流回路２２は、モータ駆動用トランス２０から供給される交流電圧を２４Ｖの直流電圧に整流してモータ駆動回路２４に供給する。そして、モータ駆動回路２４でモータ２５が駆動され、そのモータ２５の作動により電動横型ブラインドのスラットが昇降され、あるいは回動される。
【００３５】
整流回路２３は、制御用トランス２１から供給される交流電圧を５Ｖの直流電圧に整流してマイコン２６に供給する。マイコン２６にはアドレス用ディップスイッチ２７が接続されている。このアドレス用ディップスイッチ２７には、当該電動横型ブラインドのアドレスが設定される。
【００３６】
また、前記マイコン２６には通信送信部２８、通信受信部２９及び記憶素子３０が接続される。そして、マイコン２６は通信送信部２８及び通信受信部２９を介して中央処理装置あるいはゾーンスイッチ１ａとの間で制御信号の送受信を行なう。記憶素子３０には、マイコン２６の動作により昇降動作のためにモータが動作した回数及びその他の所要のデータが格納される。
【００３７】
このよう構成された制御部のマイコン２６は、ゾーンスイッチから出力される制御信号、あるいは中央処理装置から出力される制御信号と、あらかじめ設定されているプログラムとに基づいて動作する。そして、スラットの昇降動作のために動作したモータの動作回数をカウントし、その動作回数を記憶素子３０に格納する（カウント手段）。
【００３８】
次に、上記のような電動横型ブラインドのゾーンスイッチ１ａの操作に基づくマイコン１３の動作を説明する。
まず、通常操作モードでの動作について説明する。図６に示すように、いずれかのボタンの押圧操作を待つ状態からＵＰボタン４が押圧されると（ステップ１，２）、マイコン１３は内蔵するタイマーで０．５秒間のカウントアップ動作を行う（ステップ３，４）。
【００３９】
そして、カウントアップ動作が終了した時点でＵＰボタン４が押圧されていなければ、点灯する昇降ＬＥＤ２を１マス上昇させ（ステップ５，６）、ステップ１４に移行する。
ステップ５でＵＰボタン４が押圧され続けていると、ステップ７へ移行して昇降ＬＥＤ２を上方へ連続して点灯させる連続上昇モードへ移行し、ＵＰボタン４が押圧されなくなるまで点灯させる昇降ＬＥＤ２を１マスずつ上昇させる（ステップ７，８）。そして、ＵＰボタン４が押圧されなくなると、昇降ＬＥＤ２の上昇動作を停止させ（ステップ１０）、ステップ１４に移行する。
【００４０】
ＵＰボタン４が押圧され続けている状態で、昇降ＬＥＤ２が最上段まで点灯されると、昇降ＬＥＤ２の上昇動作が停止され（ステップ９，１１，１２，１３）、ステップ１４に移行する。
【００４１】
このような動作により、ＵＰボタン４が０．５秒以下で押圧されると、点灯される昇降ＬＥＤ２が１マス上昇し、ＵＰボタン４が０．５秒を超えて押圧され続けると、点灯される昇降ＬＥＤ２が連続して上昇する。そして、昇降ＬＥＤ２が最上段まで点灯されると、ＵＰボタン４の押圧に関わらず、連続上昇モードが終了する。
【００４２】
ステップ１４では、昇降ＬＥＤ２の点灯範囲に対応する制御信号がマイコン１３から電動ブラインドの制御部のマイコン２６に送信されて、ステップ１に復帰する。そして、マイコン２６の動作により、モータ２５が作動して、スラットが昇降ＬＥＤ２の点灯範囲に対応する高さまで引き上げられる。
【００４３】
ステップ２において、ＤＯＷＮボタン５が押圧されていると、図７に示すステップ１５からステップ１６に移行し、０．５秒間のカウントアップ動作を行う。そして、カウントアップ動作が終了した時点でＤＯＷＮボタン５が押圧されていなければ、点灯する昇降ＬＥＤ２を１マス下降させ（ステップ１７，１８，１９）、ステップ１４に移行する。
【００４４】
ステップ１８でＤＯＷＮボタン５が押圧され続けていると、ステップ２０へ移行して昇降ＬＥＤ２を下方へ連続して消灯させる連続下降モードへ移行し、ＤＯＷＮボタン５が押圧されなくなるまで点灯させる昇降ＬＥＤ２を１マスずつ下降させる（ステップ２１）。そして、ＤＯＷＮボタン５が押圧されなくなると、昇降ＬＥＤ２の下降動作を停止させ（ステップ２３）、ステップ１４に移行する。
【００４５】
ＤＯＷＮボタン５が押圧され続けている状態で、昇降ＬＥＤ２が最下段まで消灯されると、昇降ＬＥＤ２の下降動作が停止され（ステップ２２，２４，２５，２６）、ステップ１４に移行する。
【００４６】
このような動作により、ＤＯＷＮボタン５が０．５秒以下で押圧されると、点灯される昇降ＬＥＤ２が１マス下降し、ＤＯＷＮボタン５が０．５秒を超えて押圧され続けると、点灯される昇降ＬＥＤ２が連続して下降する。そして、昇降ＬＥＤ２が最下段まで消灯されると、ＤＯＷＮボタン５の押圧に関わらず、連続下降モードが終了する。
【００４７】
ステップ１４では、昇降ＬＥＤ２の点灯範囲に対応する制御信号がマイコン１３から電動ブラインドの制御部のマイコン２６に送信される。そして、マイコン２６の動作により、モータ２５が作動して、スラットが昇降ＬＥＤ２の点灯範囲に対応する高さまで下降される。
【００４８】
ステップ１５において、ＵＰチルトボタン６が押圧されていると、図８に示すステップ２７からステップ２８に移行し、０．５秒間のカウントアップ動作を行う。そして、カウントアップ動作が終了した時点でＵＰチルトボタン６が押圧されていなければ、点灯するチルトＬＥＤ３を１マス上昇させ（ステップ２９，３０，３１）、ステップ１４に移行する。
【００４９】
ステップ３０でＵＰチルトボタン６が押圧され続けていると、ステップ３２へ移行してチルトＬＥＤ３を上方へ連続して点灯させる連続上昇モードへ移行し、ＵＰチルトボタン６が押圧されなくなるまで点灯させるチルトＬＥＤ３を１マスずつ上昇させる（ステップ３３）。そして、ＵＰチルトボタン６が押圧されなくなると、チルトＬＥＤ３の上昇動作を停止させ（ステップ３４，３５）、ステップ１４に移行する。
【００５０】
ＵＰチルトボタン６が押圧され続けている状態で、チルトＬＥＤ３が最上段まで点灯されると、チルトＬＥＤ３の上昇動作が停止され（ステップ３４，３６，３７，３８）、ステップ１４に移行する。
【００５１】
このような動作により、ＵＰチルトボタン６が０．５秒以下で押圧されると、点灯されるチルトＬＥＤ３が１マス上昇し、ＵＰチルトボタン６が０．５秒を超えて押圧され続けると、点灯されるチルトＬＥＤ３が連続して上昇する。そして、チルトＬＥＤ３が最上段まで点灯されると、ＵＰチルトボタン６の押圧に関わらず、連続上昇モードが終了する。
【００５２】
ステップ１４では、チルトＬＥＤ３の点灯範囲に対応する制御信号がマイコン１３から電動ブラインドの制御部のマイコン２６に送信される。そして、マイコン２６の動作により、モータ２５が作動して、スラットがチルトＬＥＤ３の点灯範囲に対応する角度まで回動される。
【００５３】
ステップ２７において、ＤＯＷＮチルトボタン７が押圧されていると、図９に示すステップ３９，４０に移行し、０．５秒間のカウントアップ動作を行う。そして、カウントアップ動作が終了した時点でＤＯＷＮチルトボタン７が押圧されていなければ、点灯するチルトＬＥＤ３を１マス下降させ（ステップ４１，４２，４３）、ステップ１４に移行する。
【００５４】
ステップ４２でＤＯＷＮチルトボタン７が押圧され続けていると、ステップ４４へ移行してチルトＬＥＤ３を下方へ連続して消灯させる連続下降モードへ移行し、ＤＯＷＮチルトボタン７が押圧されなくなるまで点灯させるチルトＬＥＤ３を１マスずつ下降させる（ステップ４５）。そして、ＤＯＷＮチルトボタン７が押圧されなくなると、チルトＬＥＤ３の下降動作を停止させ（ステップ４６，４７）、ステップ１４に移行する。
【００５５】
ＤＯＷＮチルトボタン７が押圧され続けている状態で、チルトＬＥＤ３が最下段まで消灯されると、チルトＬＥＤ３の下降動作が停止され（ステップ４６，４８，４９，５０）、ステップ１４に移行する。
【００５６】
このような動作により、ＤＯＷＮチルトボタン７が０．５秒以下で押圧されると、点灯されるチルトＬＥＤ３が１マス下降し、ＤＯＷＮチルトボタン７が０．５秒を超えて押圧され続けると、点灯されるチルトＬＥＤ３が連続して下降する。そして、チルトＬＥＤ３が最下段まで消灯されると、ＤＯＷＮチルトボタン７の押圧に関わらず、連続下降モードが終了する。
【００５７】
ステップ１４では、チルトＬＥＤ３の点灯範囲に対応する制御信号がマイコン１３から電動ブラインドの制御部のマイコン２６に送信される。そして、マイコン２６の動作により、モータ２５が作動して、スラットがチルトＬＥＤ３の点灯範囲に対応する角度まで回動される。
【００５８】
ステップ３９においてＳＴＯＰボタン８が押圧されていると、図１０に示すステップ５１，５２に移行し、５秒間のカウントアップ動作を行う（ステップ５３，５４）。そして、５秒間経過する以前にＳＴＯＰボタン８の押圧が解除されると、ステップ５５に移行して、マイコン１３はストップ指令を制御部のマイコン２６に送信する。
【００５９】
すると、マイコン２６はモータ２５の作動を停止させて、スラットの昇降動作あるいは回動動作を停止させる。
また、ＳＴＯＰボタン８が５秒以上押圧されると、昇降動作のためにモータを作動させた回数を昇降ＬＥＤ２及びチルトＬＥＤ３に表示する動作回数表示モードに移行する（ステップ５６）。
【００６０】
動作回数表示モードの動作を図１１及び図１２に従って説明する。ＳＴＯＰボタン８が５秒以上押圧されると、マイコン１３は第一及び第二のディップスイッチ１４，１５に設定されたアドレス範囲を確認し（ステップ５７）、次いで最小アドレスのブラインドに対し動作回数データの送信を要求する（ステップ５８）。
【００６１】
そして、タイマーのカウント動作を開始し（ステップ５９）、最小アドレスのブラインドから０．５秒以内にデータの返信がない場合には、エラー表示としてチルトＬＥＤ３をすべて点灯させて処理を中止し（ステップ６０〜６２）、ステップ１に移行する。
【００６２】
ステップ６０においてデータの返信を確認すると、マイコン１３は昇降ＬＥＤ２にアドレスを表示し、チルトＬＥＤ３に回数を表示する（ステップ６３）。
次いで、ＳＴＯＰボタン８が押されると、マイコン１３はタイマーのカウント動作を開始し（ステップ６５，６６）、ＳＴＯＰボタン８が５秒以上押圧され続けると、通常モードに復帰して（ステップ６９）、ステップ１に復帰する。また、５秒経過する前にＳＴＯＰボタン８の押圧が解除されると、ステップ６４に復帰する。
【００６３】
ステップ６４においてＵＰボタン４あるいはＤＯＷＮボタン５が押圧されると、ステップ７０からステップ７１に移行して、タイマーで０．５秒のカウントアップ動作を開始し、カウントアップするまでＵＰボタン４あるいはＤＯＷＮボタン５が押圧されていると、ステップ７２，７３を経てステップ７５に移行する。
【００６４】
なお、ステップ６４において、ＳＴＯＰボタン８、ＵＰボタン４、ＤＯＷＮボタン５以外のボタンが押圧されている場合、及びステップ７２においてカウントアップ前にＵＰボタン４あるいはＤＯＷＮボタン５の押圧が解除されたとき、ステップ７４に移行する。そして、ステップ６３のアドレス表示及び動作回数表示を保持して、ステップ１に移行する。
【００６５】
ステップ７５では、ＵＰボタン４あるいはＤＯＷＮボタン５の押圧に基づいて、各アドレスのブラインドの動作回数を連続して表示する連続表示モードに移行する。そして、ＵＰボタン４が押圧されていると、昇降ＬＥＤ２に表示するアドレス番号を１つ加算し、ＤＯＷＮボタン５が押圧されていると、昇降ＬＥＤ２に表示するアドレス番号を１つ減算する（ステップ７６）。
【００６６】
次いで、タイマーで０．２秒のカウントアップ動作を開始し（ステップ７７）、カウントアップ前にＵＰボタン４あるいはＤＯＷＮボタン５の押圧が解除されると、ステップ７８，７９を経てステップ８０に移行し、新たなアドレスに対応するブラインドに対し動作回数データの送信を要求する。
【００６７】
次いで、当該ブラインドから０．５秒以内にデータが返信されると、その動作回数をチルトＬＥＤ３に表示し（ステップ８１〜８４）、ステップ１に復帰する。また、０．５秒を経過しても、データの返信がない場合には、エラー表示としてチルトＬＥＤ３をすべて点灯させて処理を中止し（ステップ８５）、ステップ１に移行する。
【００６８】
ステップ７８，７９で、０．２秒のカウントアップ後までＵＰボタン４あるいはＤＯＷＮボタン５が押圧され続けていると、ステップ８６を経てステップ８７に移行し、アドレス番号を加算あるいは減算し続ける。そして、ＵＰボタン４あるいはＤＯＷＮボタン５の押圧が解除された時点でステップ８０に移行し、上記と同様な動作により当該アドレスに対応する動作回数をチルトＬＥＤ３に表示する（ステップ８１〜８４）。
【００６９】
上記のように構成されたゾーンスイッチ１ａを備えた電動ブラインドでは、次に示す作用効果を得ることができる。
（１）動作回数表示モードでは、昇降ＬＥＤ２とチルトＬＥＤ３で、電動ブラインドのモータの動作回数、詳しくはスラットの昇降動作を行うための動作回数を表示することができる。従って、その動作回数を確認することにより、電動ブラインドの保守管理を容易に行なうことができる。
（２）スラットの昇降高さを示す昇降ＬＥＤ２と、スラットの角度を示すチルトＬＥＤ３を利用して、各電動ブラインドのモータの動作回数を表示することができる。従って、動作回数を表示するための表示装置を設ける必要がないので、ゾーンスイッチ１ａの小型化を図り、かつコストを低減することができる。
（３）１つのゾーンスイッチ１ａで複数の電動ブラインドのモータの動作回数を表示することができるので、多数の電動ブラインドのモータの動作回数を容易に確認することができる。
（４）ＳＴＯＰボタン８の５秒以上の押圧操作により、通常モードと動作回数表示モードとを容易に切り替えることができる。
（５）１５段の昇降ＬＥＤ２により５９種類のアドレスを表示することができる。
（６）１５段のチルトＬＥＤ３により、５００回刻みで７０００回までと、７０００回超の１５通りの動作回数を表示することができる。
（第二の実施の形態）
図１３は、第二の実施の形態のゾーンスイッチ１ｂを示す。このゾーンスイッチ１ｂは、パソコン等の中央処理装置で多数のパソコンを一括して制御する制御システムに対応したものであり、操作面には前記第一の実施の形態のゾーンスイッチ１ａの構成にＬＯＣＡＬボタン１１と表示ＬＥＤ１２を追加した構成である。第一の実施の形態と同一構成部分は、同一符号を付して詳細な説明を省略する。
【００７０】
前記ＬＯＣＡＬボタン１１は、その押圧操作毎に、中央処理装置から出力される制御信号に基づいて各電動ブラインドが動作する共有制御と、中央処理装置からの制御信号を受け付けず、ゾーンスイッチ１ｂの操作信号に基づいて各電動ブラインドが動作するローカル制御とを交互に切り替える機能を備えている。表示ＬＥＤ１２は、ローカル制御が選択されたとき点灯され、共有制御が選択されると消灯される。
【００７１】
図１４は、ゾーンスイッチ１ｂの電気的構成を示す。前記ＬＯＣＡＬボタン１１の操作信号はマイコン１３に出力される。表示ＬＥＤ１２は、マイコン１３から出力される制御信号に基づいてＬＥＤドライバ１６で駆動される。
【００７２】
このゾーンスイッチ１ｂは、マイコン１３にあらかじめ設定されたプログラムにより通常モードと動作回数表示モードのいずれかで動作する。通常モードでは、第一の実施の形態と同様に、昇降ＬＥＤ２でスラットの昇降高さを表示し、チルトＬＥＤ３でスラットの角度が表示される。
【００７３】
動作回数表示モードは、ＳＴＯＰボタン８が５秒以上押圧されたときに設定される。そして、動作回数表示モードに移行すると、表示ＬＥＤ１２が点滅され、昇降ＬＥＤ２の点灯動作と点滅動作で製品アドレスが表示され、チルトＬＥＤ３の点灯動作と点滅動作で動作回数が表示される。
【００７４】
具体的には、図１５に示すように、昇降ＬＥＤ２の１段目から１５段目までのＬＥＤの点灯状態及び点滅状態を選択することにより、１番から５９９番までのアドレスを表示する。また、チルトＬＥＤ３の１段目から１５段目までのＬＥＤの点灯状態及び点滅状態を選択することにより、０から５９９００回までの動作回数を１００回刻みで表示する。
【００７５】
図１６（ａ）に示すように、例えば昇降ＬＥＤ２の３段目が点灯され、チルトＬＥＤ３の３段目が点滅されるとともに、６段目が点灯された場合は、アドレス２番の電動ブラインドの動作回数が２５００回以下であることが表示される。
【００７６】
また、図１６（ｂ）に示すように、昇降ＬＥＤ２の２段目が点滅され、チルトＬＥＤ３の４段目が点滅されると、アドレス１０番のブラインドの動作回数が３０００回以下であることが表示される。
【００７７】
また、図１６（ｃ）に示すように、昇降ＬＥＤ２の４段目が点滅され、チルトＬＥＤ３の１段目が点灯されるとともに５段目が点滅されると、アドレス３３番のブラインドの動作回数が４０００回以下であることが表示される。なお、１０段目までの昇降ＬＥＤ２及びチルトＬＥＤ３が１つだけ点滅される場合は、そのＬＥＤの点灯と点滅が重複している状態を示し、例えばアドレス５５番や動作回数４４００等を表示する場合も、１つのＬＥＤの点滅で表示される。
【００７８】
また、図１６（ｄ）に示すように、昇降ＬＥＤ２の６段目が点滅されるとともに、１０段目が点灯され、チルトＬＥＤ３の８段目が点滅されると、アドレス５９番のブラインドの動作回数が７７００回以下であることが表示される。
【００７９】
次に、上記のようなゾーンスイッチ１ｂの動作を説明する。通常モードでは、図６から図１０に示す動作と同様な動作を行う。そして、ステップ１，２，１５，２７，３９，５１のループに図１７に示すステップ９０が追加される。
【００８０】
ステップ９０でＬＯＣＡＬボタン１１が押圧されると、マイコン１３はＬＯＣＡＬボタン１１の押圧を検出して０．５秒間のカウントアップ動作を開始し（ステップ９１）、カウントアップ後に現状が共有制御状態かローカル制御状態かを判定する（ステップ９２，９３）。
【００８１】
そして、共有制御状態であれば、ローカル指令信号を中央処理装置に送信してローカル制御に移行し（ステップ９４）、表示ＬＥＤ１２を消灯して（ステップ９５）ステップ１に移行する。
【００８２】
また、ローカル制御状態であれば、共有指令信号を中央処理装置に送信して共有動作に移行し（ステップ９６）、表示ＬＥＤ１２を消灯して（ステップ９７）ステップ１に移行する。
【００８３】
ローカル制御時に、ＳＴＯＰボタン８が５秒以上押圧されて、動作回数表示モードへ移行すると、マイコン１３は図１８に示すステップ１０１へ移行して、表示ＬＥＤ１２を点滅させ、動作回数表示モードに移行したことを表示する。
【００８４】
そして、マイコン１３は第一及び第二のディップスイッチ１４，１５に設定されたアドレス範囲を確認し（ステップ１０２）、次いで最小アドレスのブラインドに対し動作回数データの送信を要求する（ステップ１０３）。
【００８５】
そして、タイマーのカウント動作を開始し（ステップ１０４）、最小アドレスのブラインドから０．５秒以内にデータの返信がない場合には、エラー表示としてチルトＬＥＤ３をすべて点灯させて処理を中止し（ステップ１０５〜１０７）、ステップ１に移行する。
【００８６】
ステップ１０５においてデータの返信を確認すると、マイコン１３は昇降ＬＥＤ２にアドレスを表示し、チルトＬＥＤ３に回数を表示する（ステップ１０８）。
次いで、ＳＴＯＰボタン８が押されると、マイコン１３はタイマーのカウント動作を開始し（ステップ１１０，１１１）、ＳＴＯＰボタン８が５秒以上押圧され続けると、表示ＬＥＤ１２を消灯若しくは点灯して通常モードに復帰して（ステップ１１４，１１５）、ステップ１に復帰する。また、５秒経過する前にＳＴＯＰボタン８の押圧が解除されると、ステップ１０９に復帰する。
【００８７】
ステップ１０９においてＵＰボタン４あるいはＤＯＷＮボタン５が押圧されると、ステップ１１６からステップ１１７に移行して、タイマーで０．５秒のカウントアップ動作を開始し、カウントアップするまでＵＰボタン４あるいはＤＯＷＮボタン５が押圧されていると、ステップ１１８，１１９を経てステップ７５に移行する。
【００８８】
なお、ステップ１０９において、ＳＴＯＰボタン８、ＵＰボタン４、ＤＯＷＮボタン５以外のボタンが押圧されているときと、ステップ１１８においてカウントアップ前にＵＰボタン４あるいはＤＯＷＮボタン５の押圧が解除されたとき、ステップ１２０に移行する。そして、ステップ１０８のアドレス表示及び動作回数表示を保持して、ステップ１に移行する。
【００８９】
次いで、第一の実施の形態と同様なステップ７５〜８５により連続表示モードで動作回数を表示するが、その表示は図１６に示すような表示あって、第一の実施の形態とは異なる。
【００９０】
上記のようなゾーンスイッチ１ｂを備えた電動ブラインドでは、第一の実施の形態で得られた作用効果（１）〜（４）と同様な作用効果に加えて、以下に示す作用効果を得ることができる。
（１）ローカル制御か共有制御かを点灯と消灯で表示するための表示ＬＥＤ１２を点滅動作させて、動作回数表示モードを表示することができる。
（２）昇降ＬＥＤ２の点灯動作と点滅動作の組み合わせを選択することにより、１〜５９９のアドレスを表示することができる。従って、前記第一の実施の形態に比して、多数のアドレスを表示することができる。
（３）チルトＬＥＤ３の点灯動作と点滅動作の組み合わせを選択することにより、０〜５９９００回までの動作回数を１００回刻みで表示することができる。従って、前記第一の実施の形態に比して、広範囲の動作回数を表示することができる。
（第三の実施の形態）
図１９〜図２２は、第三の実施の形態を示す。この実施の形態のゾーンスイッチは、マイコンに設定されるプログラムを除いて第一の実施の形態のゾーンスイッチ１ａと同様な構成であり、同一符号を付して説明する。
【００９１】
この実施の形態では、ゾーンスイッチで多数の電動ブラインドの動作回数を自動的に検出し、その動作回数があらかじめ設定された所定回数を超えたブラインドについて、そのアドレスを表示して警告する動作回数表示モードを備えている。
【００９２】
そして、その動作回数表示モードとして、規定の動作回数に達したブラインドのアドレスを自動的に表示する自動表示モードと、ＳＴＯＰボタン８を５秒以上押し続けた場合に規定の動作回数に達したブラインドのアドレスを表示するマニュアル表示モードとを備えたものである。
【００９３】
図１７は、動作回数表示モードでの昇降ＬＥＤ２及びチルトＬＥＤ３の表示内容を示す。同図に示すように、昇降ＬＥＤ２の１段目から９段目までの点滅動作により１０〜９０番までのアドレスを１０回刻みで表示し、１１段目で１００番、１２段目で２００番のアドレスが表示される。また、チルトＬＥＤ３の１段目から９段目までの点滅動作により、１番から９番までのアドレスが表示される。
【００９４】
具体的には、図２０（ａ）に示すように、昇降ＬＥＤ２が１段目から３段目まで点滅されると、３０番のアドレスが表示される。また、同図（ｂ）に示すように、昇降ＬＥＤ２が５段目まで点滅されるとともに、１２段目が点滅され、チルトＬＥＤ３が５段目まで点滅されると、２５５番のアドレスが表示される。
【００９５】
また、同図（ｃ）に示すように、マニュアル表示モードで昇降ＬＥＤ２及びチルトＬＥＤ３の１５段目が点灯されると、該当するアドレスが存在しないことを表示する。
次に、上記のようなゾーンスイッチを備えた電動ブラインドの動作を説明する。
【００９６】
通常動作時に、スラットの昇降動作及び角度調節操作を行う際に、昇降ＬＥＤ２でスラットの昇降高さを表示し、チルトＬＥＤ３でスラットの回動角度を表示する動作は、前記第一及び第二の実施の形態と同様である。
【００９７】
この通常動作時に、ゾーンスイッチは各電動ブラインドの動作回数を検出し、あらかじめ設定された動作回数を超えたブラインドのアドレスを自動的に表示する自動表示モードの動作を並行して行う。その動作を図２１に従って説明する。
【００９８】
ローカル制御モードあるいは共有制御モードで動作中に、マイコン１３はあらかじめ設定された規定時間が経過すると、第一及び第二のディップスイッチ１４，１５に設定された最小アドレスから最大アドレスまでのアドレス範囲を確認する（ステップ１２１，１２２）。そして、最小アドレスのブラインドに対し動作回数データの送信を要求する（ステップ１２３）。
【００９９】
次いで、タイマーのカウント動作を開始し（ステップ１２４）、最小アドレスのブラインドから０．５秒以内にデータの返信がない場合には、異常データを記憶素子１９に書き込み（ステップ１２５〜１２７）、ステップ１２９に移行する。
【０１００】
ステップ１２５においてデータの返信を確認すると、マイコン１３は返信された動作回数を記憶素子１９に書き込み（ステップ１２８）、ステップ１２９に移行する。
次いで、最大アドレスまで動作回数データを受信したか否かを判定し（ステップ１２９）、最大アドレスに至っていない場合には前回確認したアドレスに１を加算したアドレスのブラインドに対し動作回数データの送信を要求する（ステップ１３０）。
【０１０１】
次いで、タイマーのカウント動作を開始し（ステップ１３１）、新たなアドレスのブラインドから０．５秒以内にデータの返信がない場合には、異常データを記憶素子１９に書き込み（ステップ１３２〜１３４）、ステップ１２９に移行する。
【０１０２】
ステップ１３２においてデータの返信を確認すると、マイコン１３は返信された動作回数を記憶素子１９に書き込み（ステップ１３５）、ステップ１２９に移行する。
そして、ステップ１２９〜１３５の動作を最大アドレスまで繰り返し、最大アドレスのブラインドの動作回数を受信して記憶素子１９に書き込んだ後は、ステップ１２９からステップ１３６に移行する。
【０１０３】
ステップ１３６では、記憶素子１９に書き込まれた各アドレスの動作回数と規定回数とを比較し、規定回数より多いブラインドがある場合は、最も動作回数の多いブラインドのアドレスを昇降ＬＥＤ２及びチルトＬＥＤ３に表示する（ステップ１３７，１３８）。そして、規定時間をクリアし、再度規定時間のカウントアップ動作を開始して（ステップ１３９）ステップ１２１に移行し、同様な動作を繰り返す。
【０１０４】
また、ステップ１３７で規定回数より覆いブラインドが存在しない場合には、昇降ＬＥＤ２及びチルトＬＥＤ３の１５段目を点滅させ（ステップ１４０）、ステップ１３９に移行する。なお、ステップ１３８において、規定回数を超えたブラインドが複数存在する場合には、ＵＰボタン４あるいはＤＯＷＮボタン５を押す毎に、当該アドレスを順次表示するようにしてもよい。
【０１０５】
図２２は、マニュアル表示モードでの動作を示す。このマニュアル表示モードは、図１０に示すステップ５４において、ＳＴＯＰボタン８が５秒以上押し続けられたとき開始される。
【０１０６】
ステップ１４１〜１５３では、前記ステップ１２２〜１３５と同様に動作して、最小アドレスから最大アドレスまでのブラインドの動作回数を記憶素子１９に書き込む。最大アドレスのブラインドの動作回数を受信して記憶素子１９に書き込んだ後は、ステップ１４８からステップ１５５に移行する。
【０１０７】
ステップ１５５では、記憶素子１９に書き込まれた各アドレスの動作回数と規定回数とを比較し、規定回数より多いブラインドがある場合は、最も動作回数の多いブラインドのアドレスを昇降ＬＥＤ２及びチルトＬＥＤ３に表示し（ステップ１５６，１５７）、ステップ１に移行する。
【０１０８】
また、ステップ１５６で規定回数より覆いブラインドが存在しない場合には、昇降ＬＥＤ２及びチルトＬＥＤ３の１５段目を点滅させ（ステップ１５８）、ステップ１に移行する。なお、ステップ１５７において、規定回数を超えたブラインドが複数存在する場合には、ＵＰボタン４あるいはＤＯＷＮボタン５を押す毎に、当該アドレスを順次表示するようにしてもよい。
【０１０９】
上記のように構成されたゾーンスイッチを備えた電動ブラインドでは、次に示す作用効果を得ることができる。
（１）自動表示モードでは、動作回数があらかじめ設定された規定回数より多いブラインドを自動的に検出し、昇降ＬＥＤ２とチルトＬＥＤ３で当該ブラインドのアドレスを表示することができる。従って、通常モードから動作回数表示モードに切り替えることなく、動作回数が規定回数を超えたブラインドのアドレスを自動的に表示することができる。
（２）スラットの昇降高さを示す昇降ＬＥＤ２と、スラットの角度を示すチルトＬＥＤ３を利用して、動作回数が規定回数を超えた電動ブラインドのアドレスを表示することができる。従って、アドレスを表示するための表示装置を設ける必要がないので、ゾーンスイッチの小型化を図り、かつコストを低減することができる。
（３）ＳＴＯＰボタン８の長押しに続くマニュアル表示モードでは、動作回数があらかじめ設定された規定回数より多いブラインドを検出し、同様に昇降ＬＥＤ２とチルトＬＥＤ３で当該ブラインドのアドレスを表示することができる。
（４）マニュアル表示モードで、動作回数が規定回数を超えるブラインドが存在しない場合には、昇降ＬＥＤ及びチルトＬＥＤ３の最上段を点滅させて、その事実を表示することができる。
【０１１０】
上記実施の形態は、以下の態様で実施してもよい。
・動作回数表示モードに切り替える切り替え手段は、ＳＴＯＰボタン以外のボタンに設定することもできる。
【図面の簡単な説明】
【０１１１】
【図１】第一の実施の形態のゾーンスイッチを示す正面図である。
【図２】ゾーンスイッチの電気的構成を示すブロック図である。
【図３】電動ブラインドの制御部を示すブロック図である。
【図４】動作回数表示モードでのゾーンスイッチの表示内容を示す説明図である。
【図５】（ａ）〜（ｄ）は動作回数表示モードでのゾーンスイッチの表示動作を示す説明図である。
【図６】第一の実施の形態のゾーンスイッチの動作を示すフローチャートである。
【図７】第一の実施の形態のゾーンスイッチの動作を示すフローチャートである。
【図８】第一の実施の形態のゾーンスイッチの動作を示すフローチャートである。
【図９】第一の実施の形態のゾーンスイッチの動作を示すフローチャートである。
【図１０】第一の実施の形態のゾーンスイッチの動作を示すフローチャートである。
【図１１】第一の実施の形態のゾーンスイッチの動作を示すフローチャートである。
【図１２】第一の実施の形態のゾーンスイッチの動作を示すフローチャートである。
【図１３】第二の実施の形態のゾーンスイッチを示す正面図である。
【図１４】ゾーンスイッチの電気的構成を示すブロック図である。
【図１５】動作回数表示モードでのゾーンスイッチの表示内容を示す説明図である。
【図１６】（ａ）〜（ｄ）は動作回数表示モードでのゾーンスイッチの表示内容を示す説明図である。
【図１７】第二の実施の形態のゾーンスイッチの動作を示すフローチャートである。
【図１８】第二の実施の形態のゾーンスイッチの動作を示すフローチャートである。
【図１９】動作回数表示モードでのゾーンスイッチの表示内容を示す説明図である。
【図２０】（ａ）〜（ｃ）は動作回数表示モードでのゾーンスイッチの表示内容を示す説明図である。
【図２１】第三の実施の形態のゾーンスイッチの動作を示すフローチャートである。
【図２２】第三の実施の形態のゾーンスイッチの動作を示すフローチャートである。
【符号の説明】
【０１１２】
１ａ，１ｂ…操作スイッチ（ゾーンスイッチ）、２…表示装置（昇降ＬＥＤ）、３…表示装置（チルトＬＥＤ）、８…切り替え手段（ＳＴＯＰボタン）、１２…表示ＬＥＤ、１３…動作回数表示手段（マイコン）、２５…モータ、２６…カウント手段（マイコン）、３０…カウント手段（記憶素子）。
【図１】
2009138488.tif 000003
【図２】
2009138488.tif 000004
【図３】
2009138488.tif 000005
【図４】
2009138488.tif 000006
【図５】
2009138488.tif 000007
【図６】
2009138488.tif 000008
【図７】
2009138488.tif 000009
【図８】
2009138488.tif 000010
【図９】
2009138488.tif 000011
【図１０】
2009138488.tif 000012
【図１１】
2009138488.tif 000013
【図１２】
2009138488.tif 000014
【図１３】
2009138488.tif 000015
【図１４】
2009138488.tif 000016
【図１５】
2009138488.tif 000017
【図１６】
2009138488.tif 000018
【図１７】
2009138488.tif 000019
【図１８】
2009138488.tif 000020
【図１９】
2009138488.tif 000021
【図２０】
2009138488.tif 000022
【図２１】
2009138488.tif 000023
【図２２】
2009138488.tif 000024